(57)【要約】【課題】一定時間の走行と一定時間の停止を繰り返す微速走行による診断運転を行うことにより、エレベータ制御機器の温度を管理するようにしたエレベータの診断運転装置を得る。【解決手段】地震発生時などの診断運転を微速走行で行うようにしたものにおいて、診断運転を一定時間の走行と一定時間の停止を繰り返す微速走行を行うことにより、インバータ素子などの制御機器の熱破壊を防止する。また、インバータ素子などの制御機器の温度を管理し、診断運転停止温度以上になると診断運転を一時中断し、診断運転開始温度以下になると診断運転を再開することを繰り返す微速走行を行うことにより、インバータ素子などの制御機器の熱破壊を防止する。【選択図】図２
2007197153.tif 000002
【特許請求の範囲】
【請求項１】
地震発生時などの診断運転を微速走行で行うようにしたエレベータの診断運転装置において、
前記診断運転を一定時間の走行と一定時間の停止を繰り返す微速走行を行うことにより、インバータ素子などの制御機器の熱破壊を防止することを特徴とするエレベータの診断運転装置。
【請求項２】
地震発生時などの診断運転を微速走行で行うようにしたエレベータの診断運転装置において、
インバータ素子などの制御機器の温度を管理し、診断運転停止温度以上になると前記診断運転を一時中断し、診断運転開始温度以下になると前記診断運転を再開することを繰り返す微速走行を行うことにより、前記インバータ素子などの制御機器の熱破壊を防止することを特徴とするエレベータの診断運転装置。
【請求項３】
診断運転停止温度は、エレベータの安全回路が動作する温度よりも低い温度に設定したことを特徴とする請求項２記載のエレベータの診断運転装置。
【請求項４】
地震発生時などの診断運転を低速走行で行うようにしたエレベータの診断運転装置において、
前記診断運転を一定時間の走行と一定時間の停止を繰り返す低速走行を行うことにより、インバータ素子などの制御機器の熱破壊を防止することを特徴とするエレベータの診断運転装置。
【請求項５】
地震発生時などの診断運転を低速走行で行うようにしたエレベータの診断運転装置において、
エレベータのインバータ素子などの制御機器の温度を管理し、診断運転停止温度以上になると前記診断運転を一時中断し、診断運転開始温度以下になると前記診断運転を再開することを繰り返す低速走行を行うことにより、インバータ素子などの制御機器の熱破壊を防止することを特徴とするエレベータの診断運転装置。
【発明の詳細な説明】
【技術分野】
【０００１】
この発明は、地震発生時などの診断運転を低速或いは微速で行うエレベータの診断運転装置に関するものである。
【背景技術】
【０００２】
従来、地震発生時などにエレベータを自動的に低速度で試運転させるとともに、試運転が完了すると自動的に平常運転開始させるものが知られている（例えば、特許文献１参照）。また、通常時の高速運転と保守・点検作業時の低速運転が可能なエレベータの診断運転装置が知られている（例えば、特許文献２参照）。また、診断運転を実行している途中でトラブルが発生した場合、診断運転が停滞したままとなってしまうことを避けるために、診断運転の実行中にトラブルが発生した場合、診断運転時間が実行許容時間を越えたときに診断運転を中止し、簡単に通常運転に復帰することができるようにしたものがある（例えば、特許文献３参照）。
【０００３】
【特許文献１】特開昭５１−１２６６４６号公報
【特許文献２】特開平９−２２１２８２号公報
【特許文献３】特開平１１−１００１８３号公報
【発明の開示】
【発明が解決しようとする課題】
【０００４】
エレベータは、通常の利用では、低速連続走行或いは微速連続走行を考慮して設計がされていない。したがって、地震発生時などの診断運転を低速連続走行或いは微速連続走行で行うと、インバータ素子などのエレベータ制御機器への連続通電の限界時間まで達してしまうことになり、機器破壊（熱破壊）の恐れがあるという問題があった。
【０００５】
この発明は上記のような課題を解決するためになされたもので、一定時間の走行と一定時間の停止を繰り返す低速走行或いは微速走行による診断運転を行うことにより、エレベータ制御機器の温度を管理するようにしたエレベータの診断運転装置を提供するものである。
【課題を解決するための手段】
【０００６】
この発明に係るエレベータの診断運転装置は、地震発生時などの診断運転を微速走行で行うようにしたものにおいて、診断運転を一定時間の走行と一定時間の停止を繰り返す微速走行を行うことにより、インバータ素子などの制御機器の熱破壊を防止するものである。
【０００７】
また、インバータ素子などの制御機器の温度を管理し、診断運転停止温度以上になると診断運転を一時中断し、診断運転開始温度以下になると診断運転を再開することを繰り返す微速走行を行うことにより、インバータ素子などの制御機器の熱破壊を防止するものである。
【発明の効果】
【０００８】
この発明によれば、地震発生時などの診断運転を微速走行で行っても、インバータ素子などのエレベータ制御機器への連続通電の限界時間まで達してしまうことを防止でき、機器破壊（熱破壊）の恐れを防止することができるという効果がある。
【発明を実施するための最良の形態】
【０００９】
実施の形態１.
図１はこの発明の実施の形態１におけるエレベータの診断運転装置を示す全体構成図、図２はこの発明の実施の形態１におけるエレベータの診断運転装置を示す機能ブロック図、図３はこの発明の実施の形態１におけるエレベータの診断運転装置の動作フローを示すフローチャート、図４はこの発明の実施の形態１におけるエレベータの診断運転装置の運転状態を示す微速診断運転特性図である。
【００１０】
図１において、１はエレベータのかご、２はつり合いおもり、３は主索、４は巻上機、５はエレベータ制御盤、６は各フロアである。エレベータのかご１は、地震発生時などの診断運転を行う際、例えば、４ｍ／分程度の微速走行運転を行うものである。
図２において、巻上機４はパルスを出力するエンコーダ７を備えている。また、エレベータ制御盤５は、エンコーダ７のパルス出力を時間に変換する走行時間演算部８と、基準タイマー記憶部９と、走行時間演算部８での微速診断運転による走行時間が基準タイマー記憶部９にある一定時間（例えば１分）に達したことを判定するとともに、エンコーダ７の出力が無くなった状態が走行時間演算部８で一定時間（例えば１分）計測されると判定する第１の判定回路１０と、この第１の判定回路１０により微速診断運転による走行時間が一定時間を越えたらエレベータの微速診断運転を一時停止するとともに、エンコーダ７の出力が無くなった状態が走行時間演算部８で一定時間（例えば１分）計測されたらエレベータの微速診断運転を再開する制御回路１１とを備えている。
【００１１】
次に、この発明によるエレベータの診断運転装置の動作を図３、図４により説明する。
図３において、まず、地震発生時などの診断運転を開始する（ステップＳ１）。次に、ステップＳ２で、例えば、４ｍ／分程度の微速走行運転を行う。そして、微速走行運転による走行時間が基準タイマー記憶部９にある一定時間（例えば１分）に達すると、エレベータの微速走行運転を一定時間後、停止する（ステップＳ３）。エンコーダ７の出力が無くなった状態が走行時間演算部８で一定時間（例えば１分）計測されると、エレベータの微速診断運転を一定時間後、再開する（ステップＳ４）。以後、一定時間後の走行・停止を繰り返し（ステップＳ２〜Ｓ６）、終了する（ステップＳ７）。
なお、図４は横軸に走行時間、縦軸に階床を示す微速診断運転特性図であり、この図からも明らかなように、エレベータの微速診断運転は、一定時間（例えば１分）微速診断走行を行い、その後一定時間（例えば１分）停止し、その後、一定時間（例えば１分）微速診断走行を再開する。これを繰り返すことにより、エレベータ制御機器の温度管理を実現する。これにより、インバータ素子などのエレベータ制御機器への連続通電の限界時間まで達してしまうことを防止でき、機器破壊（熱破壊）の恐れを防止することができる。
【００１２】
実施の形態２.
図２はこの発明の実施の形態２におけるエレベータの診断運転装置を示す機能ブロック図、図５はこの発明の実施の形態２におけるエレベータの診断運転装置の動作フローを示すフローチャート、図６はこの発明の実施の形態２におけるエレベータの診断運転装置の温度管理状態を示す温度特性図である。
である。
【００１３】
図２において、この実施の形態２では、エレベータ制御盤５は、更に、制御盤内のインバータ素子などの温度を検出する素子温度センサ１２と、この素子温度センサ１２からの検出温度が送られる温度管理部１３と、基準温度記憶部１４と、制御盤５内のインバータ素子などの検出温度と基準温度記憶部１４の値とを比較判定する第２の判定回路１５と、この第２の判定回路１５により微速診断運転停止温度（例えば、図６の診断運転停止温度iii℃）以上になるとエレベータの微速診断運転を一時停止するとともに、微速診断運転開始温度（例えば、図６の診断運転開始温度iv℃）以下になった時、エレベータの微速診断運転を再開する制御回路１１とを備えている。
【００１４】
次に、この発明によるエレベータの診断運転装置の動作を図５、図６により説明する。
図５において、まず、地震発生時などの診断運転を開始する（ステップＳ１１）。次に、ステップＳ１２で、例えば、４ｍ／分程度の微速走行運転を行う。そして、微速走行運転により制御盤５内のインバータ素子などの温度が上昇して例えば診断運転停止温度iii℃以上になると（ステップＳ１３）、エレベータの微速走行運転を一定時間停止する（ステップＳ１４）。制御盤５内のインバータ素子などの温度が下がって例えば診断運転停止温度iv℃以下になると（ステップＳ１５）、エレベータの微速診断運転を再開する（ステップＳ１６）。以後、一定時間の走行・停止を繰り返し、終了する（ステップＳ１７）。
なお、図６は温度管理状態を示す温度特性図である。図中、i℃は例えば製品破壊温度であり、最も高い温度である。また、ii℃は例えばエレベータの安全回路動作温度であり、二番目に高い温度である。また、iii℃はこの発明における診断運転停止温度であり、三番目に高い温度で、これ以上になると、制御盤５内のインバータ素子など制御機器が熱破壊する恐れのある温度である。また、iv℃はこの発明における診断運転開始温度であり、四番目に高い温度で、これ以下になると、制御盤５内のインバータ素子など制御機器に影響が無くなる温度である。更に、約v℃は通常の範囲の温度であり、エレベータの診断運転を行う場合は、この範囲内に収めれば良い訳である。この図６からも明らかなように、エレベータの微速診断運転は、微速走行運転により制御盤５内のインバータ素子などの温度が上昇して例えば診断運転停止温度iii℃以上になると、エレベータの微速走行運転を一定時間停止し、制御盤５内のインバータ素子などの温度が下がって例えば診断運転停止温度iv℃以下になると、エレベータの微速診断運転を再開する。これを繰り返すことにより、エレベータ制御機器の温度管理を実現する。これにより、インバータ素子などのエレベータ制御機器への連続通電により限界温度まで達してしまうこと防止でき、機器破壊（熱破壊）の恐れを防止することができる。
【００１５】
なお、上記実施の形態においては、地震発生時などの診断運転を行う際、例えば、４ｍ／分程度の微速走行運転を行うものとして説明したが、例えば、保守・点検作業時の低速運転であっても、低速連続走行をすると、インバータ素子などのエレベータ制御機器への連続通電の限界時間まで達し、機器破壊（熱破壊）が発生する恐れがある場合に適用しても良いことはもちろんである。
【図面の簡単な説明】
【００１６】
【図１】この発明の実施の形態１におけるエレベータの診断運転装置を示す全体構成図である。
【図２】この発明の実施の形態１、２におけるエレベータの診断運転装置を示す機能ブロック図である。
【図３】この発明の実施の形態１におけるエレベータの診断運転装置の動作フローを示すフローチャートである。
【図４】この発明の実施の形態１におけるエレベータの診断運転装置の運転状態を示す微速診断運転特性図である。
【図５】この発明の実施の形態２におけるエレベータのエプロン装置の要部構造を示す拡大図である。
【図６】この発明の実施の形態２におけるエレベータのエプロン装置の要部構造を示す拡大図である。
【符号の説明】
【００１７】
１  エレベータのかご
２  つり合いおもり
３  主索
４  巻上機
５  エレベータ制御盤
６  各フロア
７  エンコーダ
８  走行時間演算部
９  基準タイマー記憶部
１０  第１の判定回路
１１  制御回路
１２  素子温度センサ
１３  温度管理部
１４  基準温度記憶部
１５  第２の判定回路
【図１】
2007197153.tif 000003
【図２】
2007197153.tif 000004
【図３】
2007197153.tif 000005
【図４】
2007197153.tif 000006
【図５】
2007197153.tif 000007
【図６】
2007197153.tif 000008